(57)【要約】【課題】  画像形成装置からメモリメディアへの入出力動作の効率を向上させる。【解決手段】  画像形成装置は、原稿を読み取るスキャナ手段と、読み取った原稿情報を格納する為の記憶手段と、メモリメディアが接続されメモリメディアとアクセスする為のインターフェースと、前記記憶手段に格納されている原稿情報を画像情報としてメモリメディアへ転送する手段と、前記転送データ量及び前記メモリメディアの残容量を算出する手段と、前記転送データ量と前記メモリメディアの残容量を比較する手段と、前記比較手段での比較の結果転送データ量に対してメモリメディア残容量が大きい場合には、実体データをそのままメモリメディアへ転送する手段と、前記比較手段での比較の結果転送データ量に対してメモリメディア残容量が小さい場合には、実体データが格納されている格納先情報をメモリメディアへ転送する手段とを備える。【選択図】  図１
2009152867.tif 000002
【特許請求の範囲】
【請求項１】
原稿を読み取るスキャナ手段と、
読み取った原稿情報を格納する為の記憶手段と、
メモリメディアが接続されメモリメディアとアクセスする為のインターフェースと、
前記記憶手段に格納されている原稿情報を画像情報としてメモリメディアへ転送する手段と、
前記転送データ量及び前記メモリメディアの残容量を算出する手段と、
前記転送データ量と前記メモリメディアの残容量を比較する手段と、
前記比較手段での比較の結果転送データ量に対してメモリメディア残容量が大きい場合には、実体データをそのままメモリメディアへ転送する手段と、
前記比較手段での比較の結果転送データ量に対してメモリメディア残容量が小さい場合には、実体データが格納されている格納先情報をメモリメディアへ転送する手段と、
を備えることを特徴とする画像形成装置。
【発明の詳細な説明】
【技術分野】
【０００１】
本発明は、デジタル複写機などの画像入出力装置において、装置内メモリと装置とＩ／Ｆを介して接続されるメモリメディアとの間で、画像データなどを入出力する機能に関するものである。
【背景技術】
【０００２】
近年のデジタル複合機にはＵＳＢメモリ／ＳＤメモリなどのメモリメディアの普及に伴い、当該インターフェースを有し、写真などの画像情報が記憶されているメモリメディアをインターフェースに接続して、メモリメディアより直接プリントすることができる。（ダイレクトプリント／MemoryToPrint）
一方、デジタル複合機のスキャナで読み込んだ画像を装置内のＨＤＤではなく、メモリメディアへ直接記憶することも可能である。（ダイレクトスキャン／ScanToMemory）
この他にも、既にＨＤＤ（ＢＯＸ）に記憶されている画像データを取得して、メモリメディアへ記憶したり、メモリメディアの画像をＢＯＸへ転送することも可能である。（BoxToMemory）
上記動作において、メモリメディアへ画像データを格納させる際に、メモリメディアの空き容量が不足するケースが容易に想定される。この空き容量が不足している場合の制御に関する特許が提案されている。
【０００３】
特許文献１は、スキャナで読み取った文書などの情報をファイル番号を付して外部記憶装置に格納して保存しておく。該情報をメモリメディアに記憶する際には、外部記憶装置に格納したファイル番号をメモリメディアに格納する。格納した情報を再利用するときは、メモリメディアに格納したファイル情報を利用して外部記憶装置を検索して情報を読み出す。
【０００４】
特許文献２は、移動体端末などへ情報を送信する際に、送信されるデータが蓄積許容容量範囲内であるか否かを判定し、判定結果に基づいてデータとデータの保存場所を識別する位置情報識別子との少なくともいずれかを蓄積するよう制御する。
【特許文献１】特開平６−１３３０９４号公報
【特許文献２】特開２００３−２４１９０２号公報
【発明の開示】
【発明が解決しようとする課題】
【０００５】
しかしながら、本発明が解決しようとする課題は、従来技術の場合、移動体端末へ画像データを送信する際に、空き容量がどれだけ存在するかを判定する為に、移動体端末に対して逐次問い合わせにいく必要が生じる。
【０００６】
その為、データ取得中に移動体端末に対して別の処理が割り込まれた場合には、送信側からの応答ができない為、ユーザを待たせてしまうという問題を生じた。
【課題を解決するための手段】
【０００７】
本発明は、上述した課題を解決するためになされたものであり、本発明は、原稿を読み取るスキャナ手段と、読み取った原稿情報を格納する為の記憶手段と、メモリメディアが接続されメモリメディアとアクセスする為のインターフェースと、前記記憶手段に格納されている原稿情報を画像情報としてメモリメディアへ転送する手段と、前記転送データ量及び前記メモリメディアの残容量を算出する手段と、前記転送データ量と前記メモリメディアの残容量を比較する手段と、前記比較手段での比較の結果転送データ量に対してメモリメディア残容量が大きい場合には、実体データをそのままメモリメディアへ転送する手段と、前記比較手段での比較の結果転送データ量に対してメモリメディア残容量が小さい場合には、実体データが格納されている格納先情報をメモリメディアへ転送する手段と、を備えることを特徴とする画像形成装置を提供する。
【発明の効果】
【０００８】
本発明によって、画像形成装置が接続されているメモリメディアを、前記メモリ手段を含めて一元管理することができる為、移動体端末などへ逐次問い合わせにいく必要が無くなるので、画像形成装置からメモリメディアへの入出力動作の効率を向上させることができる。
【発明を実施するための最良の形態】
【０００９】
［MFPの周辺構成］
まず、図２を用いてＭＦＰ（Ｍｕｌｔｉ  Ｆｕｎｃｔｉｏｎ  Ｐｅｒｉｐｈｅｒａｌ：マルチファンクション周辺機器）の構成について説明する。
【００１０】
ＭＦＰは、スキャナから出力されたジョブデータに対しメモリを介してプリントするコピー機能や、コンピュータ等の外部装置から出力されたジョブデータに対し該メモリを介してプリントするプリント機能等の複数の機能を具備した画像形成装置である。
【００１１】
ＭＦＰには、フルカラー機器とモノクロ機器があり、色処理や内部データなどを除いて、基本的な部分において、フルカラー機器がモノクロ機器の構成を包含することが多い。ここではフルカラー機器に絞って説明し、必要に応じて随時モノクロ機器の説明を加えることとする。
【００１２】
又、本システムの構成に関し、プリント機能のみを具備した単一機能型の画像形成装置等のＳＦＰ（Ｓｉｎｇｌｅ  Ｆｕｎｃｔｉｏｎ  Ｐｅｒｉｐｈｅｒａｌ：単一機能周辺機器）を具備する構成でも良い。さらにＭＦＰとＳＦＰいずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００１３】
図２に示すように、紙原稿などの画像を読み取り、画像処理するスキャナ部２０１と、ファクシミリ、ネットワーク接続機器、外部専用装置と画像データなどを送受する外部I/F２０２、画像処理後に用紙上に画像形成し出力するプリンタ部２０３を備えている。
【００１４】
操作部２０４は、本画像形成装置の様々なフローや機能を選択したり操作指示したりするためのものであるが、操作部の表示装置の高解像度化に伴い、文書管理部にある画像データをプレビューし、確認後ＯＫならばプリントするといったこともできる。
【００１５】
操作部２０４はマルチビュー液晶の表示装置を使用し、視方向に応じて個別に異なる操作画面を表示することができる。本実施例においては、前、右、左と３視方向について別々の操作画面を表示することができるトリプルビュー液晶を使用する。
【００１６】
ＣＰＵ２０５は、はROM２０７読込んだプログラムに基いて動作する。また、外部I/F２０２ホストコンピュータから受信したPDL（ページ記述言語）コードデータを解釈し、ラスターイメージデータに展開する動作も、このプログラムに記述されており、ソフトウェアによって処理される。
【００１７】
メモリコントローラ部２０６は、接続される記憶装置であるＲＯＭ２０７、ＲＡＭ２０８、及びＨＤＤ２０９へのアクセスを制御する。接続されている各マスタデバイスからのメモリアクセスが競合した場合には、優先順位によって順番に選択したスレーブメモリへアクセスするよう調停動作を行う。
【００１８】
ＲＯＭ２０７は読み出し専用のメモリで、ブートシーケンスやフォント情報等の各種プログラムが予め記憶されている。
【００１９】
ＲＡＭ２０８は読み出し及び書き込み可能なメモリで、スキャナ部２０１や外部I/F２０２よりメモリコントローラ２０６を介して送られてきた画像データや、各種プログラムや設定情報を記憶する。
【００２０】
ＨＤＤ２０９は、圧縮伸張部２１０によって圧縮された画像データを記憶する大容量の記憶装置である。
【００２１】
圧縮伸張部２１０は、ＪＢＩＧやＪＰＥＧ等といった各種圧縮方式によってＲＡＭ２０８、ＨＤＤ２０９に記憶されている画像データ等を圧縮・伸張動作を行う。
【００２２】
メディアＩ／Ｆ２１１は、ＵＳＢメモリやＳＤカードなどの各種メモリメディアに対応するＩ／Ｆを装備するＩ／Ｆ部である。メモリメディアをメディアＩ／Ｆ２１１へ接続することによって、メモリメディアに記憶している画像データを読み出してプリンタ部２０３よりプリントする。又、スキャナ部２０１でスキャンした原稿画像データを記憶したり、又、ＨＤＤ２０９に既に格納されている画像データをメモリメディアへ転送したりすることができる。
【００２３】
容量判定部２１２は、メディアＩ／Ｆ２１１に接続されているメモリメディアの空き容量を検出して、メモリメディアへデータ転送する際に、データ転送量より空き容量が許容範囲内であるか否かを判定する。
【００２４】
[操作部の構成]
図３と図４を用いて操作部について説明する。
【００２５】
まず、図３は、定常的な操作設定を行うことができるキー入力部分である。
【００２６】
操作部電源スイッチ４０１は、スタンバイモード（通常動作状態）とスリープモード（メインコントローラは、ネットワークプリントやファクシミリなどに備えて割り込み待ち状態でプログラムを停止して、消費電力を抑えている状態）を切り替えるものである。システム全体の電源供給を行う主電源スイッチがＯＮ状態で制御することができる。
【００２７】
スタートキー４０３は、コピーや送信などの開始を指示するキーであり、ストップキー４０２は、それを中断するキーである。
【００２８】
テンキー４０６は、各種設定の置数を行うためのキーであり、クリアキー４０７は、その置数を解除するためのキーである。
【００２９】
リセットキー４０４は、各種設定を無効にし、デフォルト状態に戻すためのキーである。ユーザモードキー４０５は、ユーザごとのシステム設定画面に移行するためのキーである。
【００３０】
次に、図４は、ＬＣＤ（液晶表示部）とその上に貼られた透明電極からなるタッチパネルディスプレイを表した模式図である。ＬＣＤに表示されるキー相当の部分の透明電極を指で触れると、それを検知して別の操作画面を表示するなど予めプログラムされている。図４は、スタンバイモード時の初期画面であり、設定操作に応じて様々な操作画面を表示することができる。
【００３１】
コピータブ５０１は、コピー動作の操作画面に遷移するためのタブキーである。送信タブ５０２は、ファックスやＥ−ｍａｉｌ送信など送信（Ｓｅｎｄ）動作を指示する操作画面に遷移するためのタブキーである。ボックスタブ５０３は、ボックス（ユーザごとにジョブを格納する記憶手段）にジョブを入出力操作するための画面に遷移するためのタブキーである。オプションタブ５０４は、スキャナ設定など拡張機能を設定するためのタブキーである。システムモニタキー５１７は、ＭＦＰの状態や状況を表示するためのキーであり、各タブを選択することで、それぞれの操作モードに遷移することができる。
【００３２】
色選択設定キー５０５は、カラーコピー、白黒コピー、あるいは自動選択かを予め選択するためのキーである。倍率設定キー５０８は、等倍、拡大、縮小などの倍率設定を行う画面に遷移するキーである。後処理設定キー５０９はステイプルやパンチなどの有無、個数、位置などを設定する画面に遷移するキーである。両面設定キー５１４は、片面印刷か両面印刷かを選択する画面に遷移するキーである。紙サイズ設定キー５１５は、給紙段や紙サイズ、メディアタイプを選択する画面に遷移するキーである。画像モード設定キー５１２は、文字モードや写真モードなど原稿画像に適した画像モードを選択するためのキー、濃度設定キー５１１は、出力画像を濃くしたり薄くしたり調整するためのキーである。
【００３３】
次に、ステータス表示部５０６は、スタンバイ状態、ウォームアップ中、ジャム、エラー等の簡易的な状態表示を行う表示部である。倍率表示部５０７は、倍率設定キー５０８で設定された倍率を表示し、紙サイズ表示部５１６は、紙サイズ設定キー５１５で設定された紙サイズやモードを表示する。枚数表示部５１０は、テンキー４０６で指定された枚数を表示したり、動作中に何枚目を印刷中かを表示したりする。
【００３４】
更に、割り込みキー５１３は、コピー動作中に別のジョブを割り込ませる場合に利用し、応用モードキー５１８は、ページ連写、表紙・合紙設定、縮小レイアウト、画像移動など様々な画像処理やレイアウトなどの設定を行う画面に遷移するためのキーである。
【００３５】
［ＭＦＰの構成］
本発明における、ＭＦＰ（マルチファンクショナルプリンタ）の構成について、図５を用いて説明する。本実施例においては１DカラーMFPの構成について説明するが、その他４ＤカラーＭＦＰ、白黒ＭＦＰについても本発明のＭＦＰ構成としては考えられるが、ここでは説明を割愛する。
【００３６】
自動原稿搬送装置（ＡＤＦ）６０１は、原稿トレイの積載面にセットされた原稿束を順番に分離して、スキャナ６０２によって原稿走査するために原稿台ガラス上へ搬送する装置である。
【００３７】
スキャナ６０２は、原稿台ガラス上に搬送された原稿の画像を読み取り、ＣＣＤによって画像データに変換する。回転多面鏡（ポリゴンミラー等）６０３は、前記画像データに応じて変調された、例えばレーザ光などの光線を入射させ、反射ミラーを介して反射走査光として感光ドラム６０４に照射する。
【００３８】
感光ドラム６０４上に前記レーザー光によって形成された潜像はトナーによって現像され、転写ドラム６０５上に貼り付けられたシート材に対してトナー像を転写する。この一連の画像形成プロセスをイエロー（Y）、マゼンタ（M）、シアン（C）、ブラック（K）のトナーに対して順次実行することによりフルカラー画像が形成される。４回の画像形成プロセスの後に、フルカラー画像形成された転写ドラム６０５上のシート材は、分離爪６０６によって分離され、定着前搬送６０７によって定着器６０８へ搬送される。
【００３９】
定着器６０８は、ローラやベルトの組み合わせによって構成され、ハロゲンヒータなどの熱源を内蔵し、トナー像が転写されたシート材上のトナーを、熱と圧力によって溶解、定着させる。
【００４０】
排紙フラッパ６０９は、揺動軸を中心に揺動可能に構成され、シートの搬送方向を規定する。排紙フラッパ６０９が図中時計回りの方向に揺動しているときには、シートは真直ぐに搬送され、排紙ローラ６１０によって機外へ排出される。一方、シートの両面に画像を形成する際には、排紙フラッパ６０９が図中反時計回りの方向に揺動し、シートは下方向に進路を変更され両面搬送部へと送り込まれる。
【００４１】
両面搬送部は、反転フラッパ６１１、反転ローラ６１２、反転ガイ６１３ドおよび両面トレイ６１４より構成される。反転フラッパ６１１は、揺動軸を中心に揺動可能に構成され、シートの搬送方向を規定する。まず、反転フラッパ６１１が図中反時計回りの方向に揺動し、シートは反転ローラ６１２によって反転ガイド６１３へと送り込まれる。シート後端が反転ローラ６１２に狭持された状態で反転ローラ６１２は一旦停止し、引き続き反転フラッパ６１１が図中時計回りの方向に揺動する。さらに、反転ローラ６１２が逆方向に回転し、シートはスイッチバックして搬送され、後端と先端が入れ替わった状態で両面トレイ６１４へと導かれる。
【００４２】
両面トレイ６１４ではシートを一旦積載し、その後、再給紙ローラ６１５によってシートは再びレジストローラ６１６へと送り込まれる。このときシートは、１面目の転写工程とは反対の面が感光ドラムと対向する側になって送られてきている。そして、先述したプロセスと同様にして２面目の画像が形成され、シートの両面に画像が形成され、定着工程を経て機外へ排出される。
【００４３】
給紙搬送部は、シートカセットＡ６１７、Ｂ６１８およびペーパーデッキ６１９、手差しトレイ６２０と、給紙ローラ６２１、レジストローラ６１６によって構成されている。
【００４４】
シートカセットＡ６１７、Ｂ６１８およびペーパーデッキ６１９には、各種サイズおよび各種マテリアルのシートが収納され、また手差しトレイ６２０にはＯＨＴシート等のフィルム材を含む各種の記録媒体が積載される。シートカセットＡ６１７、シートカセットＢ６１８、ペーパーデッキ６１９および手差しトレイ６２０には、それぞれに給紙ローラ６２１が設けられシートが１枚ずつ給送される。具体的には、ピックアップローラによって積載されたシートが順次繰り出され、給紙ローラ６２１に対向して設けられる分離ローラによって重送が防止されてシートは１枚ずつ搬送ガイドへと送り出される。ここで、分離ローラには搬送方向とは逆方向に回転させる駆動力が図示しないトルクリミッタを介して入力されている。給紙ローラとの間に形成されるニップ部にシートが１枚だけ進入しているときには、シートに従動して搬送方向に回転する。一方、重送が発生している場合には搬送方向とは逆方向に回転することにより重送したシートが戻され、最上部の１枚だけが送り出されるようになっている。
【００４５】
送り出されたシートは搬送ガイドの間を案内され、複数の搬送ローラによってレジストローラ６１６まで搬送される。このときレジストローラ６１６は停止しており、シートの先端がレジストローラ６１６対で形成されるニップ部に突き当たり、シートがループを形成し斜行が補正される。その後、画像形成部において感光ドラム６０４上に形成されるトナー像のタイミングに合わせて、レジストローラ６１６は回転を開始してシートを搬送する。
【００４６】
レジストローラ６１６により送られたシートは、吸着ローラ６２２によって転写ドラム６０５表面に静電気的に吸着される。
【００４７】
プリンタ部の定着部から排出されたシートは、オンラインフィニッシャ部に入る（フィニッシャが接続されている場合）。オンラインフィニッシャ部には、サンプルトレイ６２３及びスタックトレイ６２４があり、ジョブの種類や排出されるシートの枚数に応じて切り替えて排出される。
【００４８】
ソート方式には２通りあり、複数のビンを有して各ビンに振り分けるビンソート方式と、電子ソート機能とビン（または、トレイ）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００４９】
さらに、出力すべきジョブに対してステープルモードが設定されている場合には、スタックトレイ６２４に排出するよう制御する。その際には、シートがスタックトレイ６２４に排出される前に、シートをジョブ毎にフィニッシャ内部の処理トレイ６２５に順次蓄えておく。該処理トレイ６２５上にてステープラ６２６にてバインドして、その上で、スタックトレイ６２４へ、該記録紙束を束排出する。
【００５０】
その他、上記２つのトレイに至るまでに、ファイル用の２つ（または３つ）の穴開けを行うパンチャ６２７があり、ジョブの種類に応じてパンチ処理を行う。例えば、出力すべきジョブに対するシート処理に関する設定としてユーザにより操作部を介してパンチ処理設定がなされた場合には、そのジョブの記録紙に対してパンチャ６２７によるパンチ処理を実行させる。その上で、機内を通過させて、スタックトレイ６２４及びサンプルトレイ６２３等の排出トレイに排紙するよう制御する。
【００５１】
さらに、サドルステッチャ６２８は、シートの中央部分を２ヶ所バインドした後に、シートの中央部分をローラに噛ませることによりシートを半折りし、パンフレットのようなブックレットを作成する処理（製本処理）を行う。サドルステッチャ６２８で製本されたシートは、ブックレットトレイ６２９に排出される。当該サドルステッチャ６２８による製本処理等のシート処理動作の実行可否も、上述の如く、出力すべきジョブに対してユーザにより設定されたシート処理設定に基づく。
【００５２】
また、インサータ６３０はインサートトレイ６３１にセットされたシートをプリンタへ通さずにスタックトレイ６２４及びサンプルトレイ６２３等の排出トレイのいずれかに送るためのものである。これによってオンラインフィニッシャ部に送り込まれるシート（プリンタ部で印刷されたシート）とシートの間にインサータ６３０にセットされたシートをインサート（中差し）することができる。インサータ６３０のインサートトレイ６３１にはユーザによりフェイスアップの状態でセットされるものとし、ピックアップローラにより最上部のシートから順に給送する。
【００５３】
従って、インサータ６３０からのシートはそのままスタックトレイ６２４またはサンプルトレイ６２３へ搬送することによりフェイスダウン状態で排出される。サドルステッチャ６２８へ送るときには、一度パンチャ側へ送り込んだ後スイッチバックさせて送り込むことによりフェースの向きを合わせる。尚、当該インサータ６３０によるシート挿入処理等のシート処理動作の実行可否も、上述の如く、出力すべきジョブに対してユーザにより設定されたシート処理設定に基づく。
【００５４】
[メモリメディア残容量に応じた転送制御の概念図]
図１にメモリメディアの残容量に応じて、画像形成装置内のＨＤＤ２０９に格納している画像データの実体データを転送するのか、もしくは格納先情報のみを転送するのか選択する制御の概念図を示す。
【００５５】
HDD２０９内にはスキャナ部２０１によって読み取った原稿画像などの画像データが格納されている。メディアＩ／Ｆ２１１に接続されているメモリメディアに対して読み取った原稿画像データを転送する場合に、メモリメディアに転送することが可能な空き容量を算出する。図１に示す例では、Address1に格納されている１００ＭＢサイズのData1をメモリメディアに転送する例を示している。
【００５６】
メモリメディアの空き容量が１２０ＭＢである場合には、Data1のサイズよりも十分に大きいと判断され実体データそのものを転送するよう制御する。
【００５７】
メモリメディアの空き容量が８０ＭＢである場合には、Data1のサイズよりも小さいと判断されData1が格納されているAddress1の格納先情報のみを転送するよう制御する。
【００５８】
[メモリメディアへのデータ格納シーケンス]
本実施形態における画像形成装置を使用した本体装置内のＨＤＤ２０９からメモリメディアへのデータ格納シーケンスについて、フローチャートに従って説明する。
【００５９】
図７は本発明の画像形成装置において、スキャン画像もしくはＨＤＤ２０９内に格納しているデータをメモリメディアへ格納する際のシーケンスを示すフローチャートである。
【００６０】
Ｓ８０１において、メディアＩ／Ｆ２１１に接続されているメモリメディアに対しての書き込み要求があるか否かをウェイトしている。
【００６１】
メディアＩ／Ｆ２１１にメモリメディアを接続し、スキャナ部２０１に紙原稿をセットし、スタートキー４０３を押下することによって原稿画像のメモリメディアへの書き込み（ScanToMemory）を実行する場合、当該書き込み要求を発生する。
【００６２】
その他にも、ＨＤＤ２０９に画像データ等のファイルが格納されている際に、当該ファイルをメモリメディアへの転送（BoxToMemory）を実行する場合、当該書き込み要求を発生する。
【００６３】
図９に操作部２０４の初期操作画面を示す。原稿をスキャンする場合には、送信タブ５０２を押下する。
【００６４】
図１０に送信タブ５０２を押下した際に表示される送信初期画面を示す。図１０において送信先の宛先として、メモリメディアを選択する。メディアに保管キー１１０１を押下すると、図１１に示すように宛先表示ボックス１２０１にメモリメディアが表示されて、宛先として選択されていることを通知する。
【００６５】
図１１の操作画面の状態において、スタートキー４０３を押すとスキャン動作が開始される。スキャナ部２０１にセットされている原稿の読み込みを終了すると、図１２に示すような原稿読み込み確認画面が表示される。原稿を替えて読み込みを継続する場合には、スキャナ部２０１に続きの原稿をセットし、再度スタートキー４０３を押下する。
【００６６】
読み込みを終了する場合には読込終了キー１３０１を押下する。この時点でスキャンした画像データは圧縮伸張部２１０によって圧縮されてＨＤＤ２０９に格納されている。
【００６７】
S８０２において、メモリメディアの空き容量を算出する。容量判定部２１２はメディアＩ／Ｆ２１１へ接続されているメモリメディアの空き容量情報を受信する。実際の空き容量に対してマージンを持たせた許容範囲内の容量を加味し、許容範囲の容量としての正味の空き容量を算出する。
【００６８】
Ｓ８０３において、実体データをそのまま転送可能であるか否かをチェックする。
【００６９】
スキャナ部２０１に読み取った原稿画像データは、ＲＡＭ２０８へ書き込まれ、圧縮伸張部２１０を介して圧縮されてＨＤＤ２０９へ書き込まれる。
【００７０】
容量判定部２１２はＣＰＵ２０５により算出したＨＤＤ２０９に格納されている送信元データの容量を受信する。そして前記空き容量と送信元データ容量の比較を行う。
【００７１】
比較の結果、前記正味の空き容量が送信元データ容量に対して十分大きい場合にはＳ８０４へ移行する。それ以外の場合にはＳ８０５へ移行する。
【００７２】
Ｓ８０４において、実体データをそのままメディアＩ／Ｆ２１１を介してメモリメディアへ転送する。
【００７３】
図１３に空き容量が実体データに対して十分に大きい場合の概略図を示す。
図１３ではＨＤＤ２０９内のAddress1に格納されているData1が送信元データであり、実体データサイズは100MBである。これに対してＵＳＢメモリの空き容量は120MBであるので、ＵＳＢメモリには送信する実体データに対して十分に容量があると容量判定部２１２により判定される。
【００７４】
図１４に送信正常終了メッセージ画面の一例を示す。実体データのメモリメディアへの書き込みが正常終了すると、図１４に示すようなメッセージ画面がポップアップ表示される。確認後、閉じるキー１５０１を押下する。
【００７５】
実体データをメモリメディアへ転送後、メモリメディアへのデータ格納シーケンスを終了する。
【００７６】
Ｓ８０５において、格納先情報を転送可能であるか否かをチェックする。格納先情報は例えば前記読み取った原稿画像データが圧縮されて格納されているＨＤＤ２０９におけるアドレス情報やパス情報等である。
【００７７】
図６にHDD２０９における格納先情報と格納されている送信元データの関係を示す。図６において、/aaa/bbb/ccc及び/aaa/bbb/dddはHDD２０９における格納先情報となるアドレス情報を示している。又、AAA.pdf及びBBB.tifは送信元データとなるファイル情報を示している。図６ではアドレス/aaa/bbb/cccにAAA.pdf、アドレス/aaa/bbb/dddにBBB.tifが格納されていることを表している。
容量判定部２１２はＣＰＵ２０５により算出したＨＤＤ２０９に格納されている送信元データの格納先情報のデータ量を受信する。そして前記空き容量と格納先情報のデータ量の比較を行う。比較の結果、前記正味の空き容量が格納先情報に対して十分大きい場合にはＳ８０６へ移行する。それ以外の場合にはＳ８０８へ移行する。
【００７８】
Ｓ８０６において、格納先情報をメディアＩ／Ｆ２１１を介してメモリメディアへ転送する。
【００７９】
図１５に空き容量が実体データに対して不足している場合の概略図を示す。
【００８０】
図１５ではＨＤＤ２０９内のAddress1に格納されているData1が送信元データであり、実体データサイズは100MBである。これに対してＵＳＢメモリの空き容量は80MBであるので、ＵＳＢメモリには送信する実体データに対して容量が不足していると容量判定部２１２により判定される。しかしこの場合、格納先情報を格納するだけの容量はあるので、格納先情報のみをメモリメディアへ転送する。
【００８１】
Ｓ８０７において、実体データをＨＤＤ２０９内のテンポラリ領域へ一時的に退避させる。テンポラリ領域はあくまでもデータの一時的な仮置き場であり、例えば一定時間経過後に消去される。実体データをテンポラリ領域へ退避後、メモリメディアへのデータ格納シーケンスを終了する。
【００８２】
Ｓ８０８において、格納先情報についてもメモリメディアへ書き込めない場合には、警告メッセージを表示する。
【００８３】
図１６に警告画面の一例を示す。警告画面を確認後、閉じるキー１７０１を押下することにより、警告画面を閉じる。再度メモリメディアへの書き込みを実行する場合には、不要なファイルを削除して容量をかせぐか、他のメモリメディアを接続して再試行を行う。
【００８４】
図８は本発明の画像形成装置において、格納先情報のみをメモリメディアに格納した場合に、画像形成装置とネットワークを介して接続されているＰＣへメモリメディアを接続し、ＰＣへデータを転送する際のシーケンスを示すフローチャートである。
【００８５】
Ｓ９０１において、本発明の画像形成装置はネットワークを介して接続されるＰＣより送信要求があるか待っている。メモリメディアをＰＣへ接続し、マウスなどを使用してメモリメディア内のファイルをＰＣへ移動すると、ＰＣから画像形成装置に対して送信要求を発行する。
【００８６】
Ｓ９０２において、画像形成装置はＰＣよりデータ送信要求を受け取ると、ＨＤＤ２０９内テンポラリ領域に一時的に退避している実体データを読み出して、外部Ｉ／Ｆ２０２を介してＰＣへ送信する。
【００８７】
Ｓ９０３において、実体データの送信が完了したことを確認すると、セキュリティを考慮しテンポラリ領域の実体データを消去し、一連の処理を終了する。
【００８８】
以上説明したように、本発明の画像形成装置は、スキャン画像やＢＯＸ内の画像などをメモリメディアへ転送する際に、メモリメディアの空き容量が不足している場合にも、実体データの格納先情報のみを転送する。そして、後にユーザがメモリメディアを画像形成装置とネットワークで接続される機器に接続して使用する際に、実体データを転送する。よってユーザはメモリメディアの空き容量を意識することなく、メモリメディアへの転送を行うことができる効果を奏する。
【図面の簡単な説明】
【００８９】
【図１】メモリメディア残容量に応じた転送制御の概念図
【図２】マルチファンクション周辺機器の構成
【図３】操作部２０４におけるキー入力部
【図４】操作部２０４における液晶表示部
【図５】マルチファンクショナルプリンタの構成
【図６】HDD２０９における格納先情報と格納されている送信元データの関係図
【図７】実施例におけるスキャン画像をメモリメディアへ格納する際のシーケンスを示すフローチャート
【図８】実施例における格納先情報のみをメモリメディアに格納した場合に、ＰＣへデータを転送する際のシーケンスを示すフローチャート
【図９】操作部２０４における初期操作画面
【図１０】操作部２０４における送信初期画面
【図１１】操作部２０４におけるメディア保管選択画面
【図１２】操作部２０４における読込完了画面
【図１３】空き容量が実体データに対して大きい場合の概略図
【図１４】送信正常終了メッセージ画面の一例
【図１５】空き容量が実体データに対して小さい場合の概略図
【図１６】メモリメディアへ書き込めない場合の警告画面の一例
【符号の説明】
【００９０】
２０４  操作部／表示部
２０５  ＣＰＵ
２０６  メモリコントローラ部
２０７  ＲＯＭ
２０８  ＲＡＭ
２０９  ＨＤＤ
２１０  圧縮伸張部
２１１  メディアＩ／Ｆ
２１２  容量判定部
【図１】
2009152867.tif 000003
【図２】
2009152867.tif 000004
【図３】
2009152867.tif 000005
【図４】
2009152867.tif 000006
【図５】
2009152867.tif 000007
【図６】
2009152867.tif 000008
【図７】
2009152867.tif 000009
【図８】
2009152867.tif 000010
【図９】
2009152867.tif 000011
【図１０】
2009152867.tif 000012
【図１１】
2009152867.tif 000013
【図１２】
2009152867.tif 000014
【図１３】
2009152867.tif 000015
【図１４】
2009152867.tif 000016
【図１５】
2009152867.tif 000017
【図１６】
2009152867.tif 000018